(57)【要約】【課題】使用者が椅子等に対して容易に着座することができるようにした歩行器を提供する【解決手段】アームレスト１１及び補強部材１３の左アーム２１，３１、右アーム２２，３２を４本の脚部１２によって保持して歩行器１を構成する。半円弧状の開閉部材２３，３３を、右グリップ２２，３２によってスライド移動可能に支持する。椅子から立ち上がって歩行器１に入る場合には、後開口部Ｋ１を解放し、開閉部材２３，３３の前端部で前開口部Ｋ２を閉鎖する。歩行後、椅子に着座する場合には、ロック機構２５を解除して、開閉部材２３，３３をスライド移動させて、前開口部Ｋ２を開放するとともに、後開口部Ｋ１を閉鎖する。使用者は、この前開口部Ｋ１から簡単に着座できる。【選択図】図１
2008178636.tif 000002
【特許請求の範囲】
【請求項１】
上面から見た形状が後端側に後開口部を有するほぼ円環状に形成されて使用者の体重を支えるアームレストと、前記アームレストを保持する複数の脚部とを備えた歩行器において、
前記アームレストは、
上方から見た形状が円弧状に湾曲されたパイプ状の左グリップと、
上方から見た形状が円弧状に湾曲されたパイプ状の右グリップと、
前記左グリップの後端と前記右グリップの後端との間に形成された、使用者が出入りするための前記後開口部と、
前記左グリップの前端と前記右グリップの前端との間に形成された、使用者が出入りするための前開口部と、
前記左グリップ又は前記右グリップの内周面によってガイドされて円弧状にスライドすることで、前記後開口部及び前記前開口部を開閉する円弧状の開閉部材と、を備え、
前記開閉部材は、後端部が前記後開口部を開放するとともに前端部が前記前開口部を閉鎖する第１の位置と、前記後端部が前記後開口部を閉鎖するとともに前記前端部が前記前開口部を開放する第２の位置との間をスライド可能である、
ことを特徴とする歩行器。
【請求項２】
前記開閉部材を前記第１の位置にロックするとともに、手動によってロック解除される第１のロック機構と、前記開閉部材を前記第２の位置にロックするとともに、手動によってロック解除される第２のロック機構とを備える、
ことを特徴とする請求項１に記載の歩行器。
【請求項３】
前記アームレストとほぼ同形に形成されて前記アームレストの下方に配設されるとともに、前記複数の脚部によって保持される補強部材を備える、
ことを特徴とする請求項１又は２に記載の歩行器。
【請求項４】
前記左グリップ及び前記右グリップの円弧方向に直交する方向の断面形状が円筒状である、
ことを特徴とする請求項１ないし３のいずれか１項に記載の歩行器。
【請求項５】
前記左グリップ及び前記右グリップの円弧方向に直交する方向の断面形状が角筒状である、
ことを特徴とする請求項１ないし３のいずれか１項に記載の歩行器。
【請求項６】
前記開閉部材は、スライド移動させるためのレバーを有する、
ことを特徴とする請求項１ないし５のいずれか１項に記載の歩行器。
【請求項７】
前記開閉部材の内周側に配設された前記レバーと、前記開閉部材の外周側に配設された前記レバーとを有する、
ことを特徴とする請求項６に記載の歩行器。
【発明の詳細な説明】
【技術分野】
【０００１】
本発明は、歩行が困難な人が歩行する際に、その体重を支えて歩行を補助する歩行器に関する。
【背景技術】
【０００２】
介護用の歩行器は、一般に、パイプ状のフレームを屈曲させたり，組み合わせたりして構成されており、フレームは、ほぼ水平に配置された、手をかけるアームレストと、このアームレストを保持する４本の脚部とを有している。
【０００３】
アームレストは、一般に、上方から見た形状が「コ」字形に形成されていてその一部が途切れて開口部となっている（例えば、特許文献１参照）。歩行器を使用するに際し、使用者は、アームレストの開口部を利用してアームレストに出入りする。すなわち、例えば、使用者が椅子に座った状態から、歩行器を使用する場合、まず、使用者は、座ったまま開口部から手を入れて、アームレストを握り、アームレストを下方に押し下げるようにして立ち上がり、開口部からアームレストの内側に入る。そして、アームレストで体重を支えながら歩行を行う。あるいは、付添人に支えられながら椅子から立ち上がり、アームレストの内側に入った後、アームレストで自分の体重を支持して歩行する。
【特許文献１】特開平２−２１８４０８号公報
【発明の開示】
【発明が解決しようとする課題】
【０００４】
しかしながら、上述の歩行器によると、例えば、歩行器の使用を終えて、元の椅子に着座しようとする場合に、その動作が困難であるという問題があった。所用やリハビリを終えて元の椅子に戻ってくると、歩行器はその前側が椅子に対面しているため、アームレストの内側にいる使用者と椅子との間に歩行器の前側の部分が位置するため、使用者は簡単には着座することができない。使用者は、歩行器と共の１８０度向きを代えたり、あるいは歩行器を横に押し退けたりしなければ、着座することができない。これらの場合、使用者は安定して捕まることができる箇所がないので、着座は極めて困難である。
【０００５】
そこで、本発明は、アームレストにおける従来の開口部に対向する部分が開閉するようにすることで、使用者が椅子等に対して容易に着座することができるようにした歩行器を提供することを目的とするものである。
【課題を解決するための手段】
【０００６】
請求項１に係る発明は、上面から見た形状が後端側に後開口部を有するほぼ円環状に形成されて使用者の体重を支えるアームレストと、前記アームレストを保持する複数の脚部とを備えた歩行器に関する。この発明に係る歩行器は、前記アームレストは、上方から見た形状が円弧状に湾曲されたパイプ状の左グリップと、上方から見た形状が円弧状に湾曲されたパイプ状の右グリップと、前記左グリップの後端と前記右グリップの後端との間に形成された、使用者が出入りするための前記後開口部と、前記左グリップの前端と前記右グリップの前端との間に形成された、使用者が出入りするための前開口部と、前記左グリップ又は前記右グリップの内周面によってガイドされて円弧状にスライドすることで、前記後開口部及び前記前開口部を開閉する円弧状の開閉部材と、を備え、前記開閉部材は、後端部が前記後開口部を開放するとともに前端部が前記前開口部を閉鎖する第１の位置と、前記後端部が前記後開口部を閉鎖するとともに前記前端部が前記前開口部を開放する第２の位置との間をスライド可能である、ことを特徴としている。
【０００７】
請求項２に係る発明は、請求項１に係る歩行器において、前記開閉部材を前記第１の位置にロックするとともに、手動によってロック解除される第１のロック機構と、前記開閉部材を前記第２の位置にロックするとともに、手動によってロック解除される第２のロック機構とを備える、ことを特徴としている。
【０００８】
請求項３に係る発明は、請求項１又は２に係る歩行器において、前記アームレストとほぼ同形に形成されて前記アームレストの下方に配設されるとともに、前記複数の脚部によって保持される補強部材を備える、ことを特徴としている。
【０００９】
請求項４に係る発明は、請求項１ないし３のいずれか１項に係る歩行器において、前記左グリップ及び前記右グリップの円弧方向に直交する方向の断面形状が円筒状である、ことを特徴としている。
【００１０】
請求項５に係る発明は、請求項１ないし３のいずれか１項に係る歩行器において、前記左グリップ及び前記右グリップの円弧方向に直交する方向の断面形状が角筒状である、ことを特徴としている。
【００１１】
請求項６に係る発明は、請求項１ないし５のいずれか１項に係る歩行器において、前記開閉部材は、スライド移動させるためのレバーを有する、ことを特徴としている。
【００１２】
請求項７に係る発明は、請求項６に記載の歩行器において、前記開閉部材の内周側に配設された前記レバーと、前記開閉部材の外周側に配設された前記レバーとを有する、ことを特徴としている。
【発明の効果】
【００１３】
請求項１の発明によると、例えば、椅子に座った着座姿勢からアームレストの内側に入るときは、開閉部材を第１の位置に配置して、後開口部を開放するとともに前開口部を閉鎖する。これにより、使用者は、椅子から立ち上がって、後開口部を通って、アームレストの内側に入ることができる。一方、歩行器の使用を終えて椅子に着座する際には、歩行器の前側が椅子に対面している。そこで、開閉部材を第２の位置に配置して、前開口部を開放するとともに、後開口部を閉鎖する。使用者は、前開口部を通って、椅子に着座することができる。すなわち、従来と異なり、使用者は歩行器とともに１８０度向きを変えたり、歩行器を横に押し退けたりする必要がないので、容易に着座することができる。
【００１４】
請求項２の発明によると、開閉部材を、第１のロック機構により第１の位置に、また第２のロック機構により第２の位置にロックすることができるので歩行器の使用中に開閉部材が不要に移動することがない。また、積極的にロックを解除する際には、手動によって簡単にロック解除することができる。
【００１５】
請求項３の発明によると、アームレストとほぼ同形の補強部材を有しているので、歩行器全体を補強することができる。また、アームレストと同様にして、補強部材に対して出入りすることができる。
【００１６】
請求項４の発明によると、左グリップ及び右グリップの断面形状が円筒状であるので、左グリップ、右グリップ、開閉部材の製造が容易である。
【００１７】
請求項５の発明によると、左グリップ及び右グリップの断面形状が角筒状であるので、開閉時の開閉部材の姿勢を保持しやすい。
【００１８】
請求項６の発明によると、レバーを使用することで、開閉部材の開閉動作を円滑に行うことができる。
【００１９】
請求項７の発明によると、例えば、内周側のレバーを使用者が利用し、また、外周側のレバーを介護者が使用することができるので、使い勝手がよい。
【発明を実施するための最良の形態】
【００２０】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２１】
図１〜図３を参照して、本発明に係る歩行器１の実施形態１について説明する。このうち、図１は、歩行器１全体をほぼ右側斜め上から見た斜視図である。図２は、歩行器１のアームレスト１１を上方から見た図である。図３は、図２中の矢印Ａ方向から見た、ロック機構２５の拡大断面図である。
【００２２】
これらの図に示すように、歩行器１は、一部が切り欠かれた、ほぼ環状のアームレスト１１と、このアームレスト１１を保持する複数（本実施形態では４本）の脚部１２と、ロック機構２５とを備えており、アームレスト１１は、脚部１２によってほぼ水平に保持されている。
【００２３】
アームレスト１１は、左グリップ２１と、右グリップ２２と、開閉部材２３と、ロック機構２５とを備えている。
【００２４】
左グリップ２１は、パイプを円弧状に湾曲させて形成されている。右グリップ２２も同様に、パイプを円弧状に湾曲させて形成されている。これら左グリップ２１及び右グリップ２２は、図２に示すように仮想の円環上に配設されていて、それぞれ、円周に対してほぼ１／４〜１／３の長さを有している。左グリップ２１の後端（後側の端面）２１ａと右グリップ２２の後端（後側の端面）２２ａとの間には、図２に示すように、後開口部Ｋ１が形成されている。この後開口部Ｋ１は、後述するように使用者が、アームレスト１１に出入りするためのものである。同様に、左グリップ２１の前端（前側の端面）２１ｂと右グリップ２２の前端（前側の端面）２２ｂとの間には、図２に示すように、前開口部Ｋ２が形成されている。この前開口部Ｋ２は、後述するように使用者が、アームレスト１１に出入りするためのものである。左グリップ２１の先端部及び後端部における上部には、それぞれ周方向に長い長孔２１ｃが穿設されている。この長孔２１ｃは、パイプ状の左グリップ２１の外側と内側とを連通させるように穿設されている。
【００２５】
開閉部材２３は、上述の左グリップ２１及び右グリップ２２の半径と同じ半径の円弧状に形成されている。開閉部材２３の中間部は、上述の右グリップ２２の内側を周方向に貫通している。開閉部材２３の直径（太さ）は、右グリップ２２の内周の直径よりも少し小さく設定されている。すなわち、右グリップ２２の内周面と開閉部材２３の外周面との間には、適宜な間隙が確保されていて、開閉部材２３は、右グリップ２２によって周方向にスライド可能に支持されている。つまり、適宜な間隙とは、右グリップ２２に対して開閉部材２３が円滑に周方向にスライド可能（開閉可能）であるとともに、スライド動作中及びスライド動作が完了した後に、右グリップ２２に対して開閉部材２３が太さ方向に不要に移動しない（がたつかない）ようになっている。開閉部材２３の前端側及び後端側には、それぞれ２個ずつレバー２４が取り付けられている。これらレバー２４は、歩行器１の使用者、あるいは介護者が手で握って使用するものであり、上方に延びるように取り付けられている。これら４個のレバー２４のうち、開閉部材２３の前端側及び後端側において内側（内周側）に配置されたレバー２４は、使用者が使用するものであり、外側（外周側）に配置されたレバー２４は、介護者が使用するものである。
【００２６】
図１，図２に示すように、開閉部材２３の周方向の長さは、前端部が左グリップ２１の前端２１ｂに挿入されて後述するロック機構２５によってロックされた状態において、後端部が右グリップ２２の後端２２ａから少し突出するように設定されている。なお、この状態においては、左グリップ２１の後端２１ａと右グリップ２２の後端２２ａとの間には、上述の後開口部Ｋ１が形成される。また、開閉部材２３の周方向の長さは、後端部が左グリップ２１の後端２１ａに挿入されて後述するロック機構２５によってロックされた状態において、前端部が右グリップ２２の前端２２ｂから少し突出するように設定されている。なお、この状態においては、左グリップ２１の前端２１ｂと右グリップ２２の前端２２ｂとの間には、上述の前開口部Ｋ２が形成される。図３に示すように、開閉部材２３の前端部と後端部とは、後述するロック機構２５が係脱するための形状に形成されている。なお、この形状については、後にロック機構２５を説明する際に説明する。
【００２７】
上述のアームレスト１１の下方には、このアームレスト１１と同じ構成の補強部材１３が配設されている。すなわち、アームレスト１１と同様に、左グリップ３１、右グリップ３２、開閉部材３３、レバー３４、ロック機構３５を備えていて、開閉部材３３のスライド動作（開閉動作）によって、左グリップ３１の後端３１ａと右グリップ３２の後端３２ａとの間に、後開口部（不図示）を形成したり、左グリップ３１の前端３１ｂと右グリップ３２の前端３２ｂとの間に前開口部（不図示）を形成したりすることができる。また、左グリップ３１の先端部及び後端部における上部には、ロック機構３５の一部が貫通する周方向に長い長孔３１ｃが穿設されている。
【００２８】
図１，図２に示すように、上述のアームレスト１１及び補強部材３１は、４本の脚部１２によって保持されている。各脚部１２は、上下方向に向けたほぼ棒状の部材によって形成されている。４本の脚部１２のそれぞれの上端部には、支持部１２ａが形成されていて、アームレスト１１の左グリップ２１及び右グリップ２２に固定されている。また、４本の脚部１２のそれぞれの中間部には、支持部１２ｂが形成されていて、補強部材１３の左グリップ３１及び右グリップ３２に固定されている。また、各脚部１２の下端部には、滑り止め用のゴムキャップ１２ｃが嵌合されている。
【００２９】
ロック機構２５は、図１，図２に示すように、左グリップ２１の前端２１ｂ近傍及び後端２１ａ近傍に設けられている。図３に、図２中の矢印Ａ方向から見たロック機構２５、つまり、左グリップ２１の前端２１ｂ近傍のロック機構２５を示す。なお、後端２１ａ近傍のロック機構２５、及び補強部材１３のロック機構３５の構成及び作用も同様であるので、これらについての説明は省略する。
【００３０】
図３に示すように、開閉部材２３の前端部には、溝部２３ａ及び傾斜部２３ｂが形成されている。一方、ロック機構２５は、左グリップ２１の内周面に突設された支持部２５ｂと、この支持部２５ｂによって揺動自在に支持されたロックアーム２５ａとを有している。ロックアーム２５ａは、支持部２５ｂを貫通する軸２５ｃによって揺動自在に支持されており、先端側には、上述の溝部２３ａに係脱可能な係合部２５ｄを有している。この係合部２５ｄは、左グリップ２１の内周面との間に介装された圧縮ばね２５ｅによって溝部２３ａに向けて下方に付勢されている。また、ロックアーム２５ａの基端側は、左グリップ２１の長孔２１ｃを貫通するとともに、ノブ２５ｆが取り付けられている。また、左グリップ２１の内側には、隔壁２１ｄが固定されていて、この隔壁２１ｄに取り付けられた圧縮ばね２１ｅの先端に、ストッパ２１ｆが取り付けられている。
【００３１】
図３は、ロック機構２５によって、開閉部材２３の前端部をロックし、開閉部材２３が前開口部Ｋ２を閉鎖した状態を示している（開閉部材２３の第１の位置）。このロック状態においては、開閉部材２３の溝部２３ａに、ロックアーム２５ａの係合部２５ｄが係合し、かつこの係合部２５ｄが圧縮ばね２５ｅによって溝部２３ａから外れないように付勢されている。さらに、傾斜部２３ｂの先端側が圧縮ばね２１ｅに付勢されたストッパ２１ｆによって付勢されているので、このロック状態においては、ロックが解除されることなく、しかも開閉部材２３が周方向にがたつくこともない。
【００３２】
このロック状態から使用者又は介護者が、ロック機構２５のノブ２５ｆを、圧縮ばね２５ｅの付勢力に抗して押し下げると、溝部２３ａに係合していたロックアーム２５ａの係合部２５ｄが溝部２３ａから外れる。この状態で、使用者又は介護者がレバー２４を握って、開閉部材２３を開放方向（図１〜図３中の矢印ａ方向）にスライド移動させることで、ロック解除することができる。一方、ロック解除状態からロック状態にするには、使用者又は介護者がレバー２４を握って、開閉部材２３を閉鎖方向（図１〜図３中の矢印ｂ方向）にスライド移動させると、開閉部材２３の先端の傾斜部２３ｂがロックアーム２５ａの係合部２５ｄを押し上げる。さらに閉鎖方向に移動させると、係合部２５ｄが溝部２３ａに係合したロック状態となる。なお、本実形態では、図２に示すロック状態からロック解除して、開閉部材２３を矢印ａ方向に移動させ、前開口部Ｋ２を完全に開放した状態、つまり開閉部材２３の前端側のレバー２４が、右グリップ２２の先端２２ｂ近傍に位置したときには、開閉部材２３は前開口部Ｋ１を閉鎖して、その後端部が、左グリップ２１の後端２１ａ近傍のロック機構２５によってロックされるようになっている（開閉部材２３の第２の位置）。また、この逆に、左グリップ２１の後端２１ａ近傍のロック機構２５にロックされていた開閉部材２３の後端部のロック状態を解除して、後開口部Ｋ１を完全に開口させた状態においては、開閉部材２３は、前開口部Ｋ２を閉鎖するとともに、その前端部が左グリップ２１の前端２１ｂ近傍のロック機構２５によってロックされるようになっている。
【００３３】
上述構成の歩行器１は、以下のようにして使用する。なお、図２に示す状態は、使用者が歩行器１を使用開始するときの状態、すなわち、アームレスト１１において、開閉部材２３が第１の位置に配置されて、その前端部が左グリップ２１の前端２１ｂ近傍のロック機構２５によってロックされて、前開口部Ｋ２を閉鎖した状態を示している。また、同様に、補強部材１３においても開閉部材３３によって前開口部を閉鎖しているものとする。
【００３４】
この状態で、例えば、椅子に着座した使用者は、自分の正面に歩行器１を配置する。このとき、開口されている後開口部Ｋ１が自分に近い位置に、また閉鎖されている前開口部Ｋ２が自分から遠い位置に位置するようにする。使用者は、左手で左グリップ２１を握り、また、右手で右グリップ２２を握って、椅子から立ち上がる。そして、自分の体重の一部を左グリップ２１及び右グリップ２２に預けて、歩行を開始する。歩行が終了して、元の椅子に戻ると、歩行器１は、閉鎖されている前開口部Ｋ２が椅子に対向した状態となっている。歩行者又は介護者は、左アーム２１の前端２１ｂ近傍のロック機構２５を解除し、開閉部材２３をスライド移動させて、前開口部Ｋ２を開放する。前開口部Ｋ２が完全に開放されると同時に、開閉部材２３は、その後端部が左グリップ２１の後端２１ａ近傍のロック機構２５にロックされるとともに、後開口部Ｋ１が閉鎖される。同様にして、補強部材１３についても、後開口部を閉鎖して、前開口部を解放する。
【００３５】
こうして、アームレスト１１及び補強部材１３は、椅子に近い側の前開口部Ｋ２が開放されるので、使用者はこの前開口部Ｋ２から出て、椅子に簡単に着座することができる。すなわち、従来と異なり、使用者は歩行器１とともに１８０度向きを変えたり、歩行器１を横に押し退けたりする必要がないので、容易に着座することができる。
【００３６】
以上の実施の形態では、脚部１２の下端に、滑り止め用のゴムキャップを嵌めた場合を例に説明したが、これに代えて、キャスタを取り付けるようにしてもよい。
【００３７】
また、以上の実施の形態では、左グリップ２１，３１、右グリップ２２，３２の長手方向に直交する断面形状が円筒形の場合について説明したが、これに限定されず、四角形や六角形の角筒形であってもよい。
＜実施形態２＞
【００３８】
図４〜図１０に、歩行器１の他の実施形態を示す。このうち、図４は、歩行器１全体をほぼ右側斜め上から見た斜視図である。図５は、歩行器１のアームレスト１１を上方から見た図である。図６は、図５中の矢印Ａ方向から見た、ロック機構２５の拡大断面図である。図７，図８は、レバー２４を着脱自在に構成した例を説明する図である。図９は、脚部１２を伸縮自在に構成した例を説明する図である。図１０は、歩行器１を松葉杖として使用する例を説明する斜視図で有る。なお、これらの図において、上述の図１〜図３と同様のものについては、同じ符号を付してその説明を省略する。
【００３９】
図４，図５に示すように、左グリップ２１及び右グリップ２２の先端部及び後端部の上部に補助グリップ２６を設けた。補助グリップ２６は、円筒状に形成されていて、使用者が手で握って使用できるようになっている。これら補助グリップ２６のうち、左グリップ２１に配設されているものについては、上述のロック機構２５のうちの、左グリップ２１から上方に突出している部分をカバーして、ロック機構２５の誤動作を防止することができる。すなわち、実施形態１のロックアーム部２５ａを上方に延ばし、この上方にのばしたロックアーム部を円筒状の補助グリップでカバーし、補助グリップの上部にノブ２５ｆを配置するようにして、誤作動を防止する。
【００４０】
また、図４，図６に示すように、左グリップ２１，３１及び右グリップ２２，３２の先端部及び後端部には、レバー２４，３４の基端部に対応する位置に、スリット２１ｇ，２２ｇ，３１ｇ，３２ｇを設けている。これは、図４，図６に示すように、レバー２４，３４の基端部が邪魔にならないように、入り込むことができるようにするためのものである。
【００４１】
また、レバー２４，３４のうち、補強部材１３の右グリップ３４に取り付けるレバー３４は、図４に示すように、上下方向の長さを長く形成している。これにより、使用者が上からこのレバー３４を操作する際の操作性を向上させている。
【００４２】
また、レバー３４については、図７，図８に示すように、着脱自在に構成することもできる。図７に示すものは、レバー２４の基端部にねじ部２４を設け、開閉部材２３に対して螺合するようにしている。一方、図８のものは、開閉部材２３を横方向に貫通するボルト２８とその先端に螺合されたナット２９とによってレバー２４を開閉部材２３に固定している。図１に示す例では、開閉部材２３，３３からレバー２４，３４を取り外すことにより、開閉部材２３，３３を、それぞれ右グリップ２２，３２から引き抜くことができる。図１０に開閉部材２３，３３を引き抜いた状態を示す。同図に示すように、歩行器１は、左グリップ２１，３１、２本の脚部１２等を有する左側部分と、右グリップ２２，３２、２本の脚部１２等を有する左側部分とに完全に分けることができる。こうして分割した左側部分と右側部分とを、いわゆる松葉杖として使用することが可能である。この場合、脇の下に当たる左グリップ２１，右グリップ２２には、図４に示すように、スポンジ等のパッド２７を取り付け、さらに、これらパッド２７を脇の下に当てて腕をだらんと下方に下げたときに手に対応する左グリップ３１，３２には、ゴム等の滑り止め３７を取り付けるとよい。これにより、松葉杖としても快適に使用することができる。
【００４３】
また、図９に示すように、脚部１２における下端側を、外側部１２Ａと内側部１２Ｂとの２重構造とすることで、脚部１２の長さ調整が可能となる。外側部１２Ａには、適宜な上下方向に間隔で透孔１２ｄを形成する。一方、内側部１２Ｂには、ばね部材１２ｅによって外側に付勢されたストッパ１２ｆを設ける。ばね部材１２ｅに付勢されたストッパ１２ｆが透孔１２ｄに入り込むことで、外側部１２Ａに対して内側部１２Ｂを固定することができる。脚部１２の長さ調整をする際には、ストッパ１２ｆを外側から指で押し込んだ状態で、内側部１２Ｂを移動させて、所望の長さに対応する透孔１２ｄにストッパ１２ｆを嵌合させる。これにより、長さ調整を行うことができる。
【図面の簡単な説明】
【００４４】
【図１】歩行器全体をほぼ右側斜め上から見た斜視図である。
【図２】歩行１のアームレストを上方から見た図である。
【図３】図２中の矢印Ａ方向から見た、ロック機構の拡大断面図である。
【図４】別の歩行器全体をほぼ右側斜め上から見た斜視図である。
【図５】別の歩行器のアームレストを上方から見た図である。
【図６】図５中の矢印Ａ方向から見た、ロック機構２５の拡大断面図である。
【図７】レバーを着脱自在に構成した例を説明する図である。
【図８】レバーを着脱自在に構成した別の例を説明する図である。
【図９】脚部を伸縮自在に構成した例を説明する図である。
【図１０】歩行器を松葉杖として使用する例を説明する斜視図で有る。
【符号の説明】
【００４５】
１          歩行器
１１        アームレスト
１２        脚部
１３        補強部材
２１        左グリップ
２２        右グリップ
２３        開閉部材
２４        レバー
２５        ロック機構（第１のロック機構、第２のロック機構）
Ｋ１        後開口部
Ｋ２        前開口部
【図１】
2008178636.tif 000003
【図２】
2008178636.tif 000004
【図３】
2008178636.tif 000005
【図４】
2008178636.tif 000006
【図５】
2008178636.tif 000007
【図６】
2008178636.tif 000008
【図７】
2008178636.tif 000009
【図８】
2008178636.tif 000010
【図９】
2008178636.tif 000011
【図１０】
2008178636.tif 000012